(57)【要約】  本発明は、受け取られたＡＣ電力を、交互に、（第１の持続時間にわたって）シャントし（第２の持続時間にわたって）シャントしないための、シャントスイッチを有する、レトロフィットＬＥＤランプドライバを提供する。第１の持続時間は、少なくとも１つのＡＣサイクルを含む第１の期間にわたって、ＡＣ電力の各ＡＣサイクルの第１の極性と一致しており、第１の持続時間は、第１の持続時間と重複しない別の少なくとも１つのＡＣサイクルを含む第２の期間にわたって、ＡＣ電力の第２の反対極性に一致している。交互の第１の期間と第２の期間とが提供される。それにより、シャンティング動作によって引き起こされる、引き込まれた電流におけるいずれのＤＣオフセットも、経時的に相殺される。
2021524662.tif 000002
【特許請求の範囲】
【請求項１】
第１の周波数を有するＡＣサイクルを含むＡＣ電力の供給源と共に使用されるための、レトロフィットＬＥＤランプドライバであって、各ＡＣサイクルが、反対の第１の極性と第２の極性とを含み、前記レトロフィットＬＥＤランプドライバが、
交互に、第１の持続時間において、前記供給源からの前記ＡＣ電力をシャントすることにより、前記ＡＣ電力がランプに到達することを防ぎ、第２の持続時間において、前記ＡＣ電力をシャントしないことにより、前記ＡＣ電力が前記ランプに流れることを可能にするように適合されている、シャントスイッチを備え、
更に、
コントローラであって、
前記ＡＣ電力の第１の少なくとも１つのＡＣサイクルを含む第１の期間にわたって、前記第１の持続時間を、前記ＡＣ電力の各ＡＣサイクルの前記第１の極性と一致させ、
前記ＡＣ電力の前記第１の少なくとも１つのＡＣサイクルと重複しない、前記ＡＣ電力の第２の少なくとも１つのＡＣサイクルを含む第２の期間にわたって、前記第１の持続時間を、前記ＡＣ電力の各ＡＣサイクルの第２の反対極性に一致させ、
交互の第１の期間と第２の期間とを供給するように適合されている、コントローラを備える、レトロフィットＬＥＤランプドライバ。
【請求項２】
前記コントローラが、交互の第１の期間と第２の期間とを供給することにより、前記第１の周波数よりも低い第２の周波数を有し、かつ閾値未満のＤＣ成分を有する、第２の周期信号を生成するように適合されている、請求項１に記載のランプドライバ。
【請求項３】
前記第１の周波数が、１０〜１００ｋＨｚの範囲内にあり、前記第２の周波数が、２００Ｈｚ〜１ｋＨｚの範囲内にあり、前記ＤＣ成分がゼロである、請求項２に記載のランプドライバ。
【請求項４】
前記ＡＣ電力の供給源が、蛍光ランプ電子安定器を含み、前記第１の期間及び／又は前記第２の期間の長さが、前記電子安定器における保護応答期間よりも短くなるように適合され、前記保護応答期間が、前記電子安定器の出力における前記ＤＣ成分の検出に関連している、請求項２又は３に記載のランプドライバ。
【請求項５】
前記第１の持続時間及び前記第２の持続時間が、前記ＡＣ電力の１サイクルを占め、前記コントローラが、前記ＡＣ電力の対応する極性の開始時に、前記第１の持続時間を開始するように適合されている、請求項１乃至４のいずれか一項に記載のランプドライバ。
【請求項６】
前記第１の期間が、前記ＡＣ電力の複数の連続するＡＣサイクルを含み、前記第２の期間が、前記第１の期間の後に続く前記ＡＣ電力の別の複数の連続するＡＣサイクルを含み、
前記第１の期間が、前記第２の期間と実質的に同じ時間長を有する、請求項１乃至５のいずれか一項に記載のランプドライバ。
【請求項７】
前記コントローラが、
前記第２の持続時間に対する前記第１の持続時間の比率が、最小閾値と最大閾値との間の範囲内にあるか否かを判定し、
前記比率が前記範囲内にある場合には、前記反対極性との前記一致を供給するように、
そうではなく、前記比率が前記範囲外にある場合には、前記第１の期間及び前記第２の期間にわたって、前記第１の持続時間を、前記ＡＣ電力の第１の極性又は第２の極性と一致させるように適合されている、請求項１乃至６のいずれか一項に記載のランプドライバ。
【請求項８】
ドライバ入力を受け取るための整流器入力を有し、照明負荷を駆動するための整流器出力を有する、整流器を更に備え、
シャントデバイスが、
前記整流器出力を選択的にシャントするために、前記整流器と前記照明負荷との間に接続されているか、又は、
前記整流器と一体化されており、前記ドライバ入力をシャントするためのものである、
請求項１乃至７のいずれか一項に記載のランプドライバ。
【請求項９】
調光レベルを受信するための、調光インタフェースを備え、
前記コントローラが、前記調光レベルに従って閉ループ制御を実施するように適合されており、前記比率が、前記調光レベルに依存している、
請求項７又は８に記載のランプドライバ。
【請求項１０】
照明デバイスであって、
請求項１乃至９のいずれか一項に記載のランプドライバと、
前記ランプドライバによって駆動されるための、管状ＬＥＤランプなどのＬＥＤ照明負荷と、を備える、照明デバイス。
【請求項１１】
照明負荷を制御する方法であって、
第１の周波数を有するＡＣサイクルを含むＡＣ電力の供給を受け取るステップであって、各ＡＣサイクルが、反対の第１の極性と第２の極性とを含む、ステップと、
選択的に、第１の持続時間において、前記供給からの前記ＡＣ電力をシャントすることにより、前記ＡＣ電力がランプに到達することを防ぎ、第２の持続時間において、前記ＡＣ電力をシャントしないことにより、前記ＡＣ電力が前記ランプに流れることを可能にするように、シャントデバイスを制御するステップと、を含み、
更に、
前記ＡＣ電力の第１の少なくとも１つのＡＣサイクルを含む第１の期間にわたって、前記第１の持続時間を、前記ＡＣ電力の各ＡＣサイクルの第１の極性と一致させるステップと、
前記ＡＣ電力の前記第１の少なくとも１つのＡＣサイクルと重複しない、前記ＡＣ電力の第２の少なくとも１つのＡＣサイクルを含む第２の期間にわたって、前記第１の持続時間を、前記ＡＣ電力の第２の反対極性に一致させるステップと、
交互の第１の期間と第２の期間とを供給するステップと、を含む、方法。
【請求項１２】
前記第１の持続時間及び前記第２の持続時間が、前記ＡＣ電力の１サイクルを占め、前記方法は、交互の第１の期間と第２の期間とを供給することにより、前記第１の周波数よりも低い第２の周波数を有し、かつ閾値未満のＤＣ成分を有する、第２の周期信号を生成するステップを含む、請求項１１に記載の方法。
【請求項１３】
前記第１の期間が、前記ＡＣ電力の複数の連続するＡＣサイクルを含み、前記第２の期間が、前記ＡＣ電力の別の複数の連続するＡＣサイクルを含み、前記第１の期間が、前記第２の期間と実質的に同じ時間長を有し、
前記ＤＣ成分がゼロである、請求項１２に記載の方法。
【請求項１４】
前記第２の持続時間に対する前記第１の持続時間の比率が、最小閾値と最大閾値との間の範囲内にあるか否かを判定し、
前記比率が前記範囲内にある場合には、前記第１の期間及び前記第２の期間にわたって、前記第１の持続時間を、前記ＡＣ電力の第１の極性と同期させ、
そうではなく、前記比率が前記範囲外にある場合には、前記第１の期間及び前記第２の期間にわたって、前記第１の持続時間を、前記ＡＣ電力の第１の極性と同期させるステップを含む、
請求項１１乃至１３のいずれか一項に記載の方法。
【請求項１５】
蛍光ランプ電子安定器からＡＣ電力の前記供給を受け取るステップを含み、前記第１の期間及び／又は前記第２の期間の長さが、前記電子安定器における保護応答期間よりも短くなるように適合され、前記保護応答期間が、前記電子安定器の出力におけるＤＣ信号の検出に関連している、請求項１１乃至１４のいずれか一項に記載の方法。
【発明の詳細な説明】
【技術分野】
【０００１】
本発明は、全般的に、照明の分野に関し、より具体的には、レトロフィット発光ダイオード（ＬＥＤ）ランプに関する。本発明は更に、高周波電子安定器及びレトロフィットＬＥＤランプを備える、照明システム、並びに、レトロフィットＬＥＤランプを動作させる方法に関する。
【背景技術】
【０００２】
様々な照明用途に関して、発光ダイオード（ＬＥＤ）を利用する、照明デバイスが開発されてきた。それらの長い寿命及び高いエネルギー効率により、今日では、ＬＥＤランプはまた、従来の蛍光ランプに置き換わるように、すなわち、レトロフィット用途に関して設計されている。そのような用途に関して、レトロフィットＬＥＤ管は、典型的には、レトロフィットされる対応のランプ設備のソケット内に嵌合するように適合されている。更には、ランプの保守管理は、典型的にはユーザによって実施されるため、レトロフィットＬＥＤ管は、理想的には、設備の再配線を必要とすることなく、任意のタイプの好適な設備と共に容易に動作可能であるべきである。
【０００３】
レトロフィットＬＥＤ管の欠点の１つは、ＬＥＤ管が調光もまた可能にする場合に、適切に機能しない点である。調光を実施するための一手法は、いわゆるシャントスイッチを使用することである。シャントスイッチは、スイッチが閉じられているときにＬＥＤをバイパスするために使用され、特に、最小ＬＥＤストリング電圧を下回るように、ＬＥＤ電圧を低減するために使用される。
【０００４】
図１は、蛍光安定器に適合するＴＬＥＤの典型的なブロック図を示す。
【０００５】
高周波（ＨＦ）安定器１０は、ハーフブリッジ並列共振コンバータを備え、電子（高周波）安定器適合ＴＬＥＤ１２を駆動する。
【０００６】
安定器１０と高周波適合ＴＬＥＤ１２とは、ＴＬＥＤの一方の端部における接続ピン１及び接続ピン２を介して、並びに、ＴＬＥＤの他方の端部における接続ピン３及び接続ピン４を介して接続されている。
【０００７】
高周波適合ＴＬＥＤ１２は、典型的には、図１に示される構成ブロックの全てを備える。これらは、フィラメントエミュレーションユニット１４、ピン安全性及びスタートアップ回路１６、整合回路１８、整流器２０、ＬＥＤドライバ２２、平滑コンデンサ２３、並びにＬＥＤストリング２４である。ＬＥＤストリング２４は、内部接地２５と高電圧ＤＣバス２６との間に延在している。
【０００８】
これらの構成ブロックの殆どに関しては、図１に示される実装形態は単なる例であり、それらの機能の他の実装形態が可能であり、また使用されてもいる。
【０００９】
ハーフブリッジ安定器１０の設計の詳細は、図１には示されていない。このタイプの安定器もまた、単なる例であり、プッシュプルコンバータなどの他の実装形態もまた可能であり、使用されてもいる。
【００１０】
図１に示されるＬＥＤドライバは、シャントスイッチドライバである。このタイプのドライバでは、シャントスイッチ２２が、調光制御を実施するために短絡機能を実行する。
【００１１】
シャントドライバ設計において、シャントスイッチは、所望の光出力をもたらすデューティサイクルを提供するために、コントローラ集積回路によって制御される。広く使用されている実装形態では、シャントスイッチは、時変入力信号の周期毎に制御される。このシャント制御信号は、時変入力信号、例えば電子安定器からの高周波信号の周波数とタイミング調整される必要があり、この目的に関して、検出信号がタイミング制御のために使用される。この検出信号は、例えば、安定器から流れる電流の検出に基づく。簡便な検出信号は、ＡＣ信号である時変入力信号の、ゼロ交差である。
【００１２】
レトロフィットＬＥＤランプの調光を実施するためのシャントスイッチの使用は、例えば、ＡＣ供給電圧の正の部分及び負の部分の双方においてシャンティングが発生し得ることを開示している、国際公開第２０１８／０５４８４１号に開示されている。シャントスイッチは、ＬＥＤランプをオン及びオフにするために使用される。米国特許出願公開第２０１３／００２２１８６７号は、ランプの電力又は電流を制御するために使用されるシャントスイッチを組み込むことにより、ランプ設備、例えば、平均電流が特定の範囲にあることを必要とする力率補正を使用するランプ設備に適合する、ＬＥＤランプを開示している。それゆえ、シャントスイッチは、レトロフィット用途に関して好適なランプを作製するために使用される。
【発明の概要】
【発明が解決しようとする課題】
【００１３】
送達されたＨＦ安定器出力におけるＤＣオフセットの検出に基づく、寿命保護の終了などの、ＨＦ安定器の保護機能が、接続されたレトロフィットランプによって不必要にトリガされ得るという問題が、生じる恐れがある。それゆえ、レトロフィットランプのいくつかの動作モードは、安定器から引き込まれる電流にＤＣバイアスが存在することを意味するものであり、このことが、保護機能がトリガされる結果をもたらす恐れがあるという問題がある。
【課題を解決するための手段】
【００１４】
本発明は、請求項によって定義される。
【００１５】
本発明の構想は、シャント動作のタイミングが、受け取られたＡＣ電力の第１の（例えば、正の）極性、又は受け取られたＡＣ電力の第２の（例えば、負の）極性のいずれかと同期されてもよい、シャントベースのレトロフィットＬＥＤランプドライバを提供することである。このようにして、第１の期間に第１の同期が提供されてもよく、第２の期間に第２の同期が提供されてもよい。交互の第１の期間及び第２の期間を提供することによって、ＨＦドライバ出力において存在しているＤＣオフセットが相殺される。
【００１６】
本発明の一態様による実施例によれば、第１の周波数を有するＡＣサイクルを含むＡＣ電力の供給源と共に使用されるための、レトロフィットＬＥＤランプドライバであって、各ＡＣサイクルが、反対の第１の極性と第２の極性とを含み、
交互に、第１の持続時間において、供給源からのＡＣ電力をシャントすることにより、ＡＣ電力がランプに到達することを防ぎ、第２の持続時間において、ＡＣ電力をシャントしないことにより、ＡＣ電力がランプに流れることを可能にするように適合されている、シャントスイッチを備え、
更に、
コントローラであって、
ＡＣ電力の第１の少なくとも１つのＡＣサイクルを含む第１の期間にわたって、第１の持続時間を、ＡＣ電力の各ＡＣサイクルの第１の極性と一致させ、
ＡＣ電力の第１の少なくとも１つのＡＣサイクルと重複しない、ＡＣ電力の第２の少なくとも１つのＡＣサイクルを含む第２の期間にわたって、第１の持続時間を、ＡＣ電力の各ＡＣサイクルの第２の反対極性に一致させ、
交互の第１の期間と第２の期間とを提供するように適合されている、コントローラを備えることを特徴とする、レトロフィットＬＥＤランプドライバが提供される。
【００１７】
このドライバは、シャントスイッチングが実施される方式を交互化する。少なくとも１つのＡＣサイクルの或る１つの期間／持続時間中に、シャンティングは、主に、ＨＦドライバ出力の第１の極性（例えば、ＨＦドライバ出力が正である場合）に関して実施され、先行の期間と重複しない、少なくとも１つのＡＣサイクルの次の期間／持続時間中に、シャンティングは、ＨＦドライバ出力の第２の極性（例えば、ＨＦドライバ出力が負である場合）に関して実施される。このようにして、ＨＦドライバ出力において存在しているＤＣオフセットが、第１の期間と第２の期間とで交互化されることにより、全体としてのＤＣオフセットは、より長い期間にわたって相殺される。
【００１８】
コントローラは、交互の第１の期間と第２の期間とを提供することにより、第１の周波数よりも低い第２の周波数を有し、かつ閾値未満のＤＣ成分を有する、第２の周期信号を生成するように適合されてもよい。
【００１９】
第２の周波数は、（５０ｋＨｚであってもよい）ＨＦ安定器周波数よりも低いが、依然として、ＡＣ電源の保護モードがトリガされないほど十分に高い。
【００２０】
第１の周波数は、例えば、１０〜１００ｋＨｚの範囲内にあり、第２の周波数は、例えば、２００Ｈｚ〜１ｋＨｚの範囲内にあり、ＤＣ成分はゼロである。
【００２１】
ＡＣ電力の供給源は、例えば、蛍光ランプ電子安定器を含み、第１の期間及び／又は第２の期間の長さは、電子安定器における保護応答期間よりも短くなるように適合され、保護応答期間は、電子安定器の出力におけるＤＣ成分の検出に関連している。
【００２２】
上述のように、このことは、本発明の修正を伴わない場合には保護モードをトリガすることになる、安定器によって送達される電流にＤＣオフセットが存在している場合であっても、保護モードが開始されないことを意味する。本発明は、いずれのそのようなＤＣオフセットも、保護応答が開始する前の短い期間のみにわたって持続することを意味している。
【００２３】
その場合、第１の持続時間及び第２の持続時間は、好ましくは、ＡＣ電力の１サイクルを占め、コントローラは、ＡＣ電力の対応する極性の開始時に、第１の持続時間を開始するように適合されている。
【００２４】
それゆえ、ＡＣ電力の各サイクルは、シャント部分と非シャント部分とに分割される。このことは、ＥＭＩの問題が低減されるように、シャントスイッチングを、比較的低い周波数で、特に、ＡＣ電力と同じ周波数で動作させる。
【００２５】
第１の期間は、ＡＣ電力の複数の連続するＡＣサイクルを含んでもよく、次いで、第２の期間は、第１の期間の後に続くＡＣ電力の別の複数の連続するＡＣサイクルを含んでもよい。それゆえ、２つの期間の切り替え速度が低減されることができる。第１の期間は、例えば、第２の期間と実質的に同じ時間長を有する。
【００２６】
コントローラは、
第２の持続時間に対する第１の持続時間の比率が、最小閾値と最大閾値との間の範囲内にあるか否かを判定し、
比率が範囲内にある場合には、反対極性との上述の一致を提供するように、
そうではなく、比率が範囲外にある場合には、第１の期間及び第２の期間にわたって、第１の持続時間を、ＡＣ電力の第１の極性又は第２の極性と同期させるように適合されてもよい。
【００２７】
それゆえ、第１の持続時間及び第２の持続時間が、特定の範囲から外れる場合には、極性間の切り替えは回避されることができる。例えば、第１の持続時間と第２の持続時間との間に５０：５０のデューティサイクルが存在する場合には、第１の持続時間が第１の極性又は第２の極性のいずれかに固定されている場合、大きいＤＣオフセットが存在し得る。それゆえ、反対極性での、第１の持続時間の交互化が必要とされる。比率が遥かに大きいか又は小さい場合には、ＤＣ成分は、より少なくなり得る。例えば、１０：９０又は９０：１０の比率の場合、第１の持続時間が第１の極性又は第２の極性に固定されている場合であっても、正の電流と負の電流とは殆ど同じである。この場合、反対極性での第１の持続時間の交互化は、省かれる／使用されないことが可能であり、第１の持続時間は、第１の極性又は第２の極性に固定されることができる。
【００２８】
ランプドライバは、
ドライバ入力を受け取るための整流器入力を有し、照明負荷を駆動するための整流器出力を有する、整流器を更に備えてもよく、
シャントデバイスは、
整流器出力を選択的にシャントするために、整流器と照明負荷との間に接続されているか、又は、
整流器と一体化されており、ドライバ入力をシャントするためのものである。
【００２９】
この実施形態は、シャントデバイスの２つの具体的実装形態を提供する。
【００３０】
調光レベルを受信するために、調光インタフェースが設けられてもよく、
コントローラは、上述の調光レベルに従って閉ループ制御を実施するように適合されており、上述の比率は、調光レベルに依存している。
【００３１】
調光レベルは、シャント期間と非シャント期間との比率に直接関連している。例えば、調光レベル（出力レベル）が高いほど、非シャント期間に対するシャントの比率が小さくなり、逆もまた同様である。ランプドライバは、調光レベルに従って、交互化を選択的に作動させることができる。
【００３２】
本発明はまた、照明デバイスであって、
上記で定義されたようなランプドライバと、
ランプドライバによって駆動されるための、管状ＬＥＤランプなどのＬＥＤ照明負荷とを備える、照明デバイスも提供する。
【００３３】
本発明はまた、照明負荷を制御する方法であって、
第１の周波数を有するＡＣサイクルを含むＡＣ電力の供給を受け取るステップであって、各ＡＣサイクルが、反対の第１の極性と第２の極性とを含む、ステップと、
選択的に、第１の持続時間において、供給からのＡＣ電力をシャントすることにより、ＡＣ電力がランプに到達することを防ぎ、第２の持続時間において、ＡＣ電力をシャントしないことにより、ＡＣ電力がランプに流れることを可能にするように、シャントデバイスを制御するステップとを含み、
更に、
ＡＣ電力の少なくとも１つのＡＣサイクルを含む第１の期間にわたって、第１の持続時間を、ＡＣ電力の各ＡＣサイクルの第１の極性と一致させるステップと、
ＡＣ電力の第１の少なくとも１つのＡＣサイクルと重複しない、ＡＣ電力の少なくとも１つのＡＣサイクルを含む第２の期間にわたって、第１の持続時間を、ＡＣ電力の各ＡＣサイクルの第２の反対極性に一致させるステップと、
交互の第１の期間と第２の期間とを提供するステップとを含むことを特徴とする、方法も提供する。
【００３４】
これは、上記で定義された照明ドライバが動作する方法である。
【００３５】
第１の持続時間及び第２の持続時間は、例えば、ＡＣ電力の１サイクルを占め、当該方法は、交互の第１の期間と第２の期間とを提供することにより、第１の周波数よりも低い第２の周波数を有し、かつ閾値未満のＤＣ成分を有する、第２の周期信号を生成するステップを含む。
【００３６】
第１の期間は、例えばＡＣ電力の複数の連続するＡＣサイクルを含み、第２の期間は、ＡＣ電力の別の複数の連続するＡＣサイクルを含み、第１の期間は、第２の期間と実質的に同じ時間長を有し、
ＤＣ成分はゼロである。
【００３７】
この方法はまた、第２の持続時間に対する第１の持続時間の比率が、最小閾値と最大閾値との間の範囲内にあるか否かを判定し、
比率が範囲内にある場合には、第１の期間及び第２の期間にわたって、第１の持続時間を、ＡＣ電力の第１の極性と同期させ、
そうではなく、比率が範囲外にある場合には、第１の期間及び第２の期間にわたって、第１の持続時間を、ＡＣ電力の第１の極性と同期させるステップも含み得る。
【００３８】
ＡＣ電力の供給は、例えば、蛍光ランプ電子安定器から受け取られ、第１の期間及び／又は第２の期間の長さは、電子安定器における保護応答期間よりも短くなるように適合され、保護応答期間は、電子安定器の出力におけるＤＣ信号の検出に関連している。
【００３９】
本発明のこれらの態様及び他の態様は、以降で説明される実施形態から明らかとなり、当該の実施形態を参照して解明されるであろう。
【図面の簡単な説明】
【００４０】
本発明のより良好な理解のために、及び、どのようにして本発明が遂行され得るかをより明確に示すために、次に、例としてのみ、添付図面が参照される。
【図１】蛍光安定器に適合するＴＬＥＤの典型的なブロック図を示す。
【図２】既知のシャントドライバ構成の一実施例を、より詳細に示す。
【図３】検出信号を生成するための検出回路の既知の実施例を示す。
【図４】最大輝度における図２及び図３の回路の動作を説明するためのタイミング図を示す。
【図５】調光された輝度レベルにおける図２及び図３の回路の動作を説明するためのタイミング図を示す。
【図６】５０：５０のシャントスイッチのデューティサイクルを有する安定器出力電流ＩＢを示す。
【図７】負荷の存在下での図６のシャント制御の効果を示す。
【図８】本発明の一実施例による手法に従ったタイミング図を示す。
【図９】照明負荷を制御する方法を示す。
【発明を実施するための形態】
【００４１】
本発明が、図を参照して説明される。
【００４２】
詳細な説明及び具体例は、装置、システム、及び方法の例示的実施形態を示すものであるが、単に例示目的に過ぎず、本発明の範囲を限定することを意図するものではない点を理解されたい。本発明の装置、システム、及び方法の、これら及び他の特徴、態様、及び利点は、以下の説明、添付の請求項、及び添付の図面から、より良好に理解されるであろう。これらの図は、概略的なものに過ぎず、正しい縮尺で描かれていない点を理解されたい。また、同じ参照番号は、これらの図の全体を通して、同じ部分又は同様の部分を示すために使用されている点も理解されたい。
【００４３】
本発明は、受け取られたＡＣ電力を、交互に、（第１の持続時間にわたって）シャントし（第２の持続時間にわたって）シャントしないための、シャントスイッチを有する、レトロフィットＬＥＤランプドライバを提供する。第１の持続時間は、第１の期間にわたって、ＡＣ電力の第１の極性と同期され、第１の持続時間は、第２の期間にわたって、ＡＣ電力の第２の反対極性に同期される。交互の第１の期間と第２の期間とが提供される。それにより、シャンティング動作によって引き起こされる、引き込まれた電流におけるいずれのＤＣオフセットも、経時的に相殺される。
【００４４】
図２は、既知のシャントドライバ構成の一実施例を、より詳細に示す。簡潔性のために、安定器１０、（ダイオードブリッジダイオードＤＢ１〜ＤＢ４から形成されている）整流器２０、出力コンデンサ２３、ＬＥＤ照明負荷２４、並びに、図１のシャントデバイス２２と本質的に同様であるシャントデバイス２２ａ及び２２ｂのみが示されている。
【００４５】
欧州のＨＦ安定器に関しては、通常、出力電流は対称であり、高い周波数を有する。安定器の出力電流が対称ではなく、この状態が１秒超にわたって持続される場合には、このことは、安定器内部のＤＣバイアス保護機能（寿命保護機能の終了）をトリガすることになる。次いで、安定器は、その出力を遮断することになり、このことは、ＴＬＥＤランプが安定器と共に稼働しないことを意味する、適合性の問題をもたらす。
【００４６】
北米の設計によるＨＦ安定器が、ＴＬＥＤランプと接続する場合、図２に示されるように、直列安全コンデンサＣｓｅｒが使用される。コンデンサは、ＤＣ成分を遮断し、またそれゆえ、ＤＣバイアス保護機能がトリガされることを防ぐ。しかしながら、欧州の設計に基づくＨＦ安定器は、直列コンデンサが使用されることができないことを意味する、異なる稼働原理を有し、コンデンサの存在は、出力電流を遮断することになる。
【００４７】
シャントデバイスは、この実施例では、図１に示されるような整流器出力ではなく、整流器入力を一体となって共に短絡する、２つのトランジスタ２２ａ、２２ｂとして実装されている。更にまた、２つのトランジスタ２２ａ及び２２ｂは、当該の２つのトランジスタが整流要素としてもまた制御されることが可能な場合、いくつかのダイオードに置き換わることができる。そのような実装形態は、ブリッジレス実装として既知である。それゆえ、シャントデバイスは、整流器出力を選択的にシャントするために、整流器と照明負荷との間に接続されているか（図１）、又は、整流器と一体化され、ドライバ入力をシャントするためのもの（図２）のいずれかである。
【００４８】
トランジスタ２２ａ、２２ｂは、コントローラ集積回路３０によって提供されるシャント制御信号Ｇ１によって制御される。シャント制御信号Ｇ１は、二状態シャント制御信号である。コントローラ３０は、電流感知抵抗器３２からフィードバック信号ＦＢ１を受信し、また、例えばリモートコントローラから無線で受信される調光コマンド３４も受信する。次いで、コントローラは、ＬＥＤ負荷に電流が到達することを防ぐために、シャントデバイストランジスタ２２ａ、２２ｂを動作させるか、さもなければ、ＬＥＤ負荷が駆動されることを可能にするために、シャントデバイストランジスタを動作させず、それにより、調光コマンド３４に対応する調光効果をもたらすように調節されるＬＥＤ負荷へと、エネルギーが向かう。
【００４９】
それゆえ、閉ループ制御を達成するために、抵抗器３２は、照明負荷へと流れる電流を検出し、次いで、上述の調光レベル及び検出された電流に従って、シャントデバイスを動作させる持続時間の長さを制御するための、フィードバックループを実装している。
【００５０】
照明ドライバは、安定器１０から交流電力供給を受け取るための、ドライバ入力３６を備える。コントローラ３０は、交流電力供給のサイクルの一部分の間にシャントデバイスを動作させ、それにより、シャントデバイスが動作されていない、交流電力供給のサイクルの一部分の間にのみ、電流がＬＥＤ負荷に送達される。
【００５１】
ドライバはまた、検出信号４０を生成するための、及び、シャントデバイスを動作させるために検出信号をコントローラ３０に提供するための、検出器３８も有する。この検出信号４０は、ＡＣ入力信号の周波数とタイミング調整されており、シャントデバイス周波数が安定器周波数を追跡するように、サイクル毎の制御を実施するために使用される。より具体的には、シャントスイッチは、ソフトスイッチングを実施するために、ＡＣ入力（電流）信号のゼロ交差に従って動作される。
【００５２】
コントローラ３０はまた、調光レベル３４を受信するための、調光インタフェースも有する。コントローラ３０は、上述の調光レベルに従って、シャントデバイスを動作させる持続時間の長さを制御する。
【００５３】
図３は、ゼロ交差検出信号（「zero crossing detection signal；ＺＣＤ」）の形態の検出信号４０を生成するための、検出回路３８の既知の実施例を示す。当該回路は、整流器入力のうちの一方（Ｂ１）と接地との間に、抵抗分割器Ｒ１、Ｒ２を含む。負荷が安定器に接続されている場合、この時点における電圧は、方形波信号であり、抵抗分割器は、より低電圧のバージョンを生成する。ゼロ交差検出に基づくスイッチングは、ＡＣ入力信号との同期を実施するための、１つの可能な方式に過ぎない。
【００５４】
図４は、最大輝度における図２及び図３の回路の動作を説明するためのタイミング図を示す。
【００５５】
上部プロットは、ＴＬＥＤ１２内での整流後に安定器によって送達される電流ＩＢ＿ｒｅｃｔを示し、短いゼロ持続時間を間に有する正の正弦波パルスを含む。第２のプロットは、シャント制御信号Ｇ１を示し、第３のプロットは、ＬＥＤ負荷に供給される電流ＩＬを示し、下部プロットは、検出信号ＺＣＤを示す。
【００５６】
図４では、シャンティングが必要とされていないため、シャント制御信号は存在しない。電流は、常に負荷に供給される。ＺＣＤ信号は、シャントされていない入力電流と同極性である。ＺＣＤ信号は、ゼロからｈｉｇｈの値への前縁と、ｈｉｇｈの値からゼロへの後縁とを有する。後縁は、ゼロ交差と同時であるため、ドライバは、この半サイクルの終了及び次の半サイクルの開始のタイミングを知る。
【００５７】
図５は、調光された輝度レベルにおける図２及び図３の回路の動作を説明するためのタイミング図を示す。図５では、シャントスイッチングは、半サイクルの各開始時にＧ１が高パルスの持続時間を有するために発生し、その開始は、ＺＣＤ信号の先行の後縁によって示される。その持続時間の後、信号Ｇ１は、ｌｏｗレベルに戻り、次いで、安定器電流ＩＢが、ＬＥＤ負荷に流れることが可能となる。
【００５８】
より具体的には、この場合もまた、上部プロットは、安定器によって送達される電流ＩＢを示し、第２のプロットは、シャント制御信号Ｇ１を示し、第３のプロットは、ＬＥＤ負荷に供給される電流ＩＬを示し、下部プロットは、検出信号ＺＣＤを示す。
【００５９】
シャント制御信号は、電流波形の一部が負荷に渡らないようにさせる。それゆえ、検出信号は、負荷電流が存在し、またそれゆえ電圧が存在する場合にのみ発生するため、より短い。検出信号ＺＣＤの後縁によってトリガされて、ドライバは、この半サイクルの終了及び次の半サイクルの開始を知り、シャントデバイスが、ほぼ即座に再び動作されることになるが、図面は、それらの間の僅かな時間オフセットΔｔを示している。
【００６０】
安定器電流は、シャントスイッチングの間、シャントデバイスを通って流れる。
【００６１】
上記の実施形態では、シャント期間及び非シャント期間は、安定器出力電流の各半サイクルにおいて提供されている。それゆえ、ＡＣの観点からは、正の半サイクル及び負の半サイクルの双方が、シャント持続時間及び非シャント持続時間を有し、それゆえ、平均の正の電流と平均の負の電流とは同様である。この類似性は、安定器出力電流のＤＣ成分を小さくさせ、更にゼロにさせる。それゆえ、安定器は、保護モードに入ることがない。
【００６２】
しかしながら、各半サイクルでの交互化の問題点は、より高いスイッチング周波数を必要とし、ＥＭＩの問題を招く恐れがある点である。
【００６３】
入力電力の全ＡＣサイクル毎に１サイクルのみを有する、シャントスイッチングの制御を提供することが望ましいであろう。通常のソリューションは、ＡＣ電力の固定された正又は負のいずれかの極性に、シャント持続時間を同期させることである。
【００６４】
図６は、図５と同様に半サイクル毎に１回ではなく、全ＡＣサイクル毎に１回のシャントスイッチングを有する、安定器出力電流ＩＢを示す。また、シャンティングが実施されることになる５０％のデューティサイクル信号Ｔｏｎも示しており、シャンティング中と非シャンティング中との異なる負荷条件を考慮するものではない。シャント制御信号は、ＡＣ入力電力と同じ周波数を有する。シャントタイミングは、正の半サイクルと同期されている。５０％のデューティサイクルの場合、このことは、安定器出力電流ＩＢの正の半サイクルがシャントされる一方で、負の半サイクルはシャントされないことを意味する。
【００６５】
負荷の存在下での（シャンティング中と非シャンティング中とで異なる）このシャント制御スキームの効果が、図７を参照して説明される。図７は、同じシャント制御信号Ｔｏｎを示し、次いで、安定器によって送達される実際の電流ＩＢに対する、照明負荷の効果を示す。
【００６６】
負荷シャンティングの期間７０の間に、安定器によって認知される負荷は、極めて小さく、すなわち、シャントスイッチ２２ａ、２２ｂのインピーダンスである。結果として、高電流７２が流れる。負荷がシャントされていない期間中に、安定器によって認知される負荷は、遙かに大きく、すなわちＬＥＤ負荷である。結果として、より小さい電流７４が流れる。安定器は電流源と見なされるが、その出力電流は、異なる負荷により、依然として変化し得る点に留意されたい。
【００６７】
その結果、安定器によって送達される電流にはＤＣバイアスが存在する。この実施例では、安定器から引き込まれる電流に対して（図８の期間ｔ１の間に示されるような）正のＤＣバイアスが存在している。このＤＣバイアスは、長時間にわたって持続し、電子安定器の保護をトリガし得る。
【００６８】
それゆえ、シャンティング持続時間と非シャンティング持続時間との間に５０：５０のデューティサイクルが存在する場合、大きいＤＣオフセットが存在し得る。特に、正の電流の全てがシャントされる場合、引き込まれる正の電流は、負の電流よりも遥かに大きい。２０：８０〜８０：２０のような他の比率もまた、この問題を引き起こし得る点に留意されたい。
【００６９】
負の電流がシャントされる（シャントが負の極性のみと同期される）場合には、逆の場合が生じることになり、すなわち、引き込まれる負の電流は、正の電流よりも遥かに大きくなる。
【００７０】
それゆえ、本発明は、主に／最初に正の電流をシャントすることと、主に／最初に負の電流をシャントすることとを交互化する、切り替えスキームを利用する。５０：５０のデューティサイクルに関しては、一方の半サイクルのシャンティングが常に存在しており、ＤＣバイアス効果が最も顕著である。しかしながら、他のデューティサイクルの場合であっても、ＤＣバイアスが生じることになる。
【００７１】
例えば、２５％のデューティサイクルの場合、正の半サイクルの半分がシャントされることになり、負の半サイクル全体はシャントされないことになる。正の半サイクル及び負の半サイクルの、対応する非シャント部分は、同じ又は同様の電流引き込みをもたらすことになる。しかしながら、正の半サイクルのシャントされた部分は、負の半サイクルの残りの非シャント部分よりも高い電流をもたらすことになる。それゆえ、正のＤＣバイアスが、この場合もまた生じることになる。
【００７２】
図８は、本発明の一実施例による手法に従ったタイミング図を示す。本発明は、図２に示されるシステムによって実装されてもよく、コントローラ集積回路３０によって実施される代替的制御ルーチンを単純に伴う。
【００７３】
それゆえ、上述のように、交互に、第１の持続時間において、供給源からのＡＣ電力をシャントすることにより、ＡＣ電力がランプに到達することを防ぎ、第２の持続時間において、ＡＣ電力をシャントしないことにより、ＡＣ電力がランプに流れることを可能にするように適合されている、シャントスイッチ２２ａ、２２ｂが存在している。
【００７４】
コントローラ３０は、第１の期間ｔ１にわたって、第１の持続時間を、ＡＣ電力の第１の極性と繰り返し同期させる。図示の実施例では、第１の極性は、受け取られた入力電力の正の半サイクルである。第１の持続時間は、シャント期間、すなわち、Ｔｏｎがｈｉｇｈである期間である。図８は、ＡＣ電力の５つの全サイクルを含む、第１の期間ｔ１を示しているが、より一般的には、少なくとも１つの全サイクルを含む。
【００７５】
第１の持続時間Ｔｏｎは、第１の期間ｔ１に続く第２の期間ｔ２にわたって、ＡＣ電力の第２の反対極性に同期される。それゆえ、図８では、第２の反対極性は、受け取られた入力電力の負の半サイクルである。第２の期間ｔ２もまた、ＡＣ電力の５つの全サイクルを含むが、より一般的には、少なくとも１つの全サイクルを含む。
【００７６】
第１の期間ｔ１は、好ましくは、第２の期間ｔ２と実質的に同じ時間長を有し、それゆえ、それらは、受け取られたＡＣ電力の、同一の数のサイクルを含んでもよい。しかしながら、このことは必須ではなく、それらは、若干異なる持続時間を有してもよい。例えば、正の半サイクル及び負の半サイクルがシャントされる際に生じる（異なる入力信号極性で動作する場合の、回路動作の差異による）若干異なるＤＣバイアスレベルを補償するために、異なる持続時間が使用されてもよい。
【００７７】
第１の期間と第２の期間とが交互化されていることにより、それらは、受け取られたＡＣ電力の周波数よりも低い周波数を有する、新たな信号を生成する。この新たな信号は、安定器稼働周波数信号の包絡線から形成されている。
【００７８】
図８の制御スキームの効果は、シャントスイッチングが実施される方式を、ドライバが交互化することである。第１の期間ｔ１の間、シャンティングは、ＨＦドライバ出力の第１の部分（ＨＦドライバ出力が正である場合）に関して実施される。第２の期間ｔ２の間、シャンティングは、ＨＦドライバ出力の第２の部分（ＨＦドライバ出力が負である場合）に関して実施される。シャントスイッチングは、ＡＣ電力の対応する極性の開始時に開始する。このことは、ゼロ交差検出を使用することによって、又は他のタイミング手法によって達成されてもよい。
【００７９】
図８は、５０：５０のデューティサイクルに関する状況を示す。期間ｔ１の間には、図７に示される通りに、正のＤＣオフセットが存在している。しかしながら、期間ｔ２の間には、負のオフセットが存在している。それゆえ、ＤＣオフセットは、第１の期間ｔ１と第２の期間ｔ２とで符号が交互化しており、それにより、ＤＣオフセットは、第２の周期信号である、交流信号の複数の期間ｔ１、ｔ２に対応する、より長い期間にわたって相殺される。ＤＣオフセットを示す波形は、単に例示のために過ぎず、方形波、三角波、又は任意の他の形状であってもよい点に留意されたい。
【００８０】
この第２の周期信号は、受け取られたＡＣ電力の周波数よりも低い第２の周波数を有し、ＤＣ成分は、閾値未満となるようにされている。
【００８１】
第２の周波数は、（５０ｋＨｚであってもよい）ＨＦ安定器周波数よりも低いが、依然として、ＡＣ電源の保護モードがトリガされないほど十分に高い。換言すれば、一方の単一極性極性でのＤＣオフセットの持続時間は、電子安定器の保護応答時間に対して短い。ＨＦ安定器からの受け取られたＡＣ電力の第１の周波数は、例えば１０〜１００ｋＨｚの範囲であるが、その一方で、第２の周波数は、例えば２００Ｈｚ〜１ｋＨｚの範囲、例えば２００Ｈｚ〜５００Ｈｚである。
【００８２】
この第２の周波数は、ランプドライバが接続されることになる蛍光ランプ電子安定器を考慮して選択される。第１の期間及び／又は第２の期間の長さは、１秒の長さであってもよい電子安定器における保護応答期間よりも、短く（すなわち、速く）なるように選択される。そのような反応期間に関しては、６０Ｈｚ以上の周波数が適切である。この保護応答期間は、電子安定器の出力におけるＤＣ成分の検出に関連している。
【００８３】
上述のように、ＤＣオフセットは、一方の半サイクルがシャントされ、他方がシャントされない場合に最大である。第２の持続時間に対する第１の持続時間の比率が決定されてもよく、比率が最小閾値と最大閾値との間の範囲内にある場合には、反対極性との同期が使用される。例えば、範囲は、４０：６０〜６０：４０、又は３０：７０〜７０：３０の範囲のデューティサイクルであってもよい。
【００８４】
比率が範囲外にある場合には、第１の持続時間は、単純に、ＡＣ電力の第１の極性と常に同期されてもよい。それゆえ、第１の持続時間及び第２の持続時間が、特定の範囲から外れる場合には、期間の間での極性の切り替えは、例えば電力を節約するために、回避されることができる。
【００８５】
図９は、照明負荷を制御する方法であって、
ステップ９０における、第１の周波数を有するＡＣ電力の供給を受け取るステップと、
ステップ９２における、選択的に、第１の持続時間において、供給からのＡＣ電力をシャントすることにより、ＡＣ電力がランプに到達することを防ぎ、第２の持続時間において、ＡＣ電力をシャントしないことにより、ＡＣ電力がランプに流れることを可能にするように、シャントデバイスを制御するステップと、
ステップ９４における、ＡＣ電力の少なくとも１つのサイクルを含む第１の期間にわたって、第１の持続時間を、ＡＣ電力の第１の極性と同期させるステップと、
ステップ９６における、ＡＣ電力の少なくとも１つのサイクルを含む第２の期間にわたって、第１の持続時間を、ＡＣ電力の第２の反対極性に同期させるステップと、
ステップ９８における、交互の第１の期間と第２の期間とを提供するステップとを含む、方法を示す。
【００８６】
１つのタイミング実施例のみが上記で示されている。しかしながら、その代わりに、第１の持続時間が負の半サイクルであってもよく、第２の持続時間が正の半サイクルであってもよいことが（単純に用語の定義の問題であるため）直ちに明らかとなるであろう。各期間ｔ１、ｔ２において、任意数のＡＣサイクルが存在してもよい。数が多いほど、反対極性間での切り替えが実施されることが必要となる速度は低下するが、より長いＤＣバイアスが存在することになる。シャントスイッチングは、受け取られたＡＣ信号と同じ周波数で、すなわち、ＨＦ安定器周波数と同じ周波数に制御される。それゆえ、例えば図５に示される手法に関して必要とされるような、より高い周波数のスイッチング信号の使用が回避される。
【００８７】
シャントスイッチ稼働周波数を、安定器稼働周波数と同じとなるように選択することによって、安定器のＥＭＩフィルタ設計が適合される。このことは、ＲＦ回路及び他の回路に対する影響を低減する。安定器周波数は、この目的のためにシステムによって追跡され、このことは、精緻なＺＣＤ制御及び正確な調光制御を可能にする。
【００８８】
本手法は、いずれのＤＣ遮断直列コンデンサも使用することなく、欧州の安定器と共に使用されることが可能である。
【００８９】
図面、本開示、及び添付の請求項の検討によって、開示される実施形態に対する変形形態が、当業者により理解されることができ、また、特許請求される発明を実施する際に実行されることができる。請求項では、単語「備える（comprising）」は、他の要素又はステップを排除するものではなく、不定冠詞「１つの（a）」又は「１つの（an）」は、複数を排除するものではない。単一のプロセッサ又は他のユニットが、請求項において列挙される、いくつかの項目の機能を果たしてもよい。特定の手段が、互いに異なる従属請求項内に列挙されているという単なる事実は、これらの手段の組み合わせが、有利に使用され得ないことを示すものではない。コンピュータプログラムは、他のハードウェアと共に、又は他のハードウェアの一部として供給される、光学記憶媒体又は固体媒体などの、好適な媒体上に記憶／分散されてもよいが、また、インターネット、又は他の有線若しくは無線の電気通信システムなどを介して、他の形態で分散されてもよい。請求項中のいかなる参照符号も、範囲を限定するものとして解釈されるべきではない。
【図１】
2021524662.tif 000003
【図２】
2021524662.tif 000004
【図３】
2021524662.tif 000005
【図４】
2021524662.tif 000006
【図５】
2021524662.tif 000007
【図６】
2021524662.tif 000008
【図７】
2021524662.tif 000009
【図８】
2021524662.tif 000010
【図９】
2021524662.tif 000011
【手続補正書】
【提出日】令和3年2月10日(2021.2.10)
【手続補正１】
【補正対象書類名】特許請求の範囲
【補正対象項目名】全文
【補正方法】変更
【補正の内容】
【特許請求の範囲】
【請求項１】
第１の周波数を有するＡＣサイクルを含むＡＣ電力の供給源と共に使用されるための、レトロフィットＬＥＤランプドライバであって、各ＡＣサイクルが、反対の第１の極性と第２の極性とを含み、前記レトロフィットＬＥＤランプドライバが、
交互に、第１の持続時間において、前記供給源からの前記ＡＣ電力をシャントすることにより、前記ＡＣ電力がランプに到達することを防ぎ、前記第１の持続時間に続く第２の持続時間において、前記ＡＣ電力をシャントしないことにより、前記ＡＣ電力が前記ランプに流れることを可能にするように適合されている、シャントスイッチを備え、
更に、
コントローラであって、
前記ＡＣ電力の第１の少なくとも１つのＡＣサイクルを含む第１の期間にわたって、前記第１の持続時間を、前記ＡＣ電力の各ＡＣサイクルの前記第１の極性と一致させ、
前記ＡＣ電力の前記第１の少なくとも１つのＡＣサイクルと重複しない、前記ＡＣ電力の第２の少なくとも１つのＡＣサイクルを含む第２の期間にわたって、前記第１の持続時間を、前記ＡＣ電力の各ＡＣサイクルの第２の反対極性に一致させ、
交互の第１の期間と第２の期間とを供給するように適合されている、コントローラを備える、レトロフィットＬＥＤランプドライバ。
【請求項２】
前記コントローラが、交互の第１の期間と第２の期間とを供給することにより、前記第１の周波数よりも低い第２の周波数を有し、かつ閾値未満のＤＣ成分を有する、第２の周期信号を生成するように適合されている、請求項１に記載のランプドライバ。
【請求項３】
前記第１の周波数が、１０〜１００ｋＨｚの範囲内にあり、前記第２の周波数が、２００Ｈｚ〜１ｋＨｚの範囲内にあり、前記ＤＣ成分がゼロである、請求項２に記載のランプドライバ。
【請求項４】
前記ＡＣ電力の供給源が、蛍光ランプ電子安定器を含み、前記第１の期間及び／又は前記第２の期間の長さが、前記電子安定器における保護応答期間よりも短くなるように適合され、前記保護応答期間が、前記電子安定器の出力における前記ＤＣ成分の検出に関連している、請求項２又は３に記載のランプドライバ。
【請求項５】
前記第１の持続時間及び前記第２の持続時間が、前記ＡＣ電力の１サイクルを占め、前記コントローラが、前記ＡＣ電力の対応する極性の開始時に、前記第１の持続時間を開始するように適合されている、請求項１乃至２のいずれか一項に記載のランプドライバ。
【請求項６】
前記第１の期間が、前記ＡＣ電力の複数の連続するＡＣサイクルを含み、前記第２の期間が、前記第１の期間の後に続く前記ＡＣ電力の別の複数の連続するＡＣサイクルを含み、
前記第１の期間が、前記第２の期間と実質的に同じ時間長を有する、請求項１乃至２のいずれか一項に記載のランプドライバ。
【請求項７】
前記コントローラが、
前記第２の持続時間に対する前記第１の持続時間の比率が、最小閾値と最大閾値との間の範囲内にあるか否かを判定し、
前記比率が前記範囲内にある場合には、前記反対極性との前記一致を供給するように、
そうではなく、前記比率が前記範囲外にある場合には、前記第１の期間及び前記第２の期間にわたって、前記第１の持続時間を、前記ＡＣ電力の第１の極性又は第２の極性と一致させるように適合されている、請求項１乃至２のいずれか一項に記載のランプドライバ。
【請求項８】
ドライバ入力を受け取るための整流器入力を有し、照明負荷を駆動するための整流器出力を有する、整流器を更に備え、
シャントデバイスが、
前記整流器出力を選択的にシャントするために、前記整流器と前記照明負荷との間に接続されているか、又は、
前記整流器と一体化されており、前記ドライバ入力をシャントするためのものである、
請求項１乃至２のいずれか一項に記載のランプドライバ。
【請求項９】
調光レベルを受信するための、調光インタフェースを備え、
前記コントローラが、前記調光レベルに従って閉ループ制御を実施するように適合されており、前記比率が、前記調光レベルに依存している、
請求項７に記載のランプドライバ。
【請求項１０】
照明デバイスであって、
請求項１乃至９のいずれか一項に記載のランプドライバと、
前記ランプドライバによって駆動されるための、管状ＬＥＤランプなどのＬＥＤ照明負荷と、を備える、照明デバイス。
【請求項１１】
照明負荷を制御する方法であって、
第１の周波数を有するＡＣサイクルを含むＡＣ電力の供給を受け取るステップであって、各ＡＣサイクルが、反対の第１の極性と第２の極性とを含む、ステップと、
選択的に、第１の持続時間において、前記供給からの前記ＡＣ電力をシャントすることにより、前記ＡＣ電力がランプに到達することを防ぎ、前記第１の持続時間に続く第２の持続時間において、前記ＡＣ電力をシャントしないことにより、前記ＡＣ電力が前記ランプに流れることを可能にするように、シャントデバイスを制御するステップと、を含み、
更に、
前記ＡＣ電力の第１の少なくとも１つのＡＣサイクルを含む第１の期間にわたって、前記第１の持続時間を、前記ＡＣ電力の各ＡＣサイクルの前記第１の極性と一致させるステップと、
前記ＡＣ電力の前記第１の少なくとも１つのＡＣサイクルと重複しない、前記ＡＣ電力の第２の少なくとも１つのＡＣサイクルを含む第２の期間にわたって、前記第１の持続時間を、前記ＡＣ電力の反対の前記第２の極性に一致させるステップと、
交互の第１の期間と第２の期間とを供給するステップと、を含む、方法。
【請求項１２】
前記第１の持続時間及び前記第２の持続時間が、前記ＡＣ電力の１サイクルを占め、前記方法は、交互の第１の期間と第２の期間とを供給することにより、前記第１の周波数よりも低い第２の周波数を有し、かつ閾値未満のＤＣ成分を有する、第２の周期信号を生成するステップを含む、請求項１１に記載の方法。
【請求項１３】
前記第１の期間が、前記ＡＣ電力の複数の連続するＡＣサイクルを含み、前記第２の期間が、前記ＡＣ電力の別の複数の連続するＡＣサイクルを含み、前記第１の期間が、前記第２の期間と実質的に同じ時間長を有し、
前記ＤＣ成分がゼロである、請求項１２に記載の方法。
【請求項１４】
前記第２の持続時間に対する前記第１の持続時間の比率が、最小閾値と最大閾値との間の範囲内にあるか否かを判定し、
前記比率が前記範囲内にある場合には、前記第１の期間及び前記第２の期間にわたって、前記第１の持続時間を、前記ＡＣ電力の第１の極性と同期させ、
そうではなく、前記比率が前記範囲外にある場合には、前記第１の期間及び前記第２の期間にわたって、前記第１の持続時間を、前記ＡＣ電力の第１の極性と同期させるステップを含む、
請求項１１乃至１２のいずれか一項に記載の方法。
【請求項１５】
蛍光ランプ電子安定器からＡＣ電力の前記供給を受け取るステップを含み、前記第１の期間及び／又は前記第２の期間の長さが、前記電子安定器における保護応答期間よりも短くなるように適合され、前記保護応答期間が、前記電子安定器の出力におけるＤＣ信号の検出に関連している、請求項１１乃至１２のいずれか一項に記載の方法。
【国際調査報告】
2021524662.tif 000012
2021524662.tif 000013